(57)【要約】【課題】  より簡易な構成で、不正なＲＯＭ交換を目的としたこじ開けを有効に防止することができる制御基板ケースを提供すること。【解決手段】  制御基板を格納する制御基板ケース１０の右側面では、台座２１ａに貫挿されたかしめネジ８０ａがネジ受け部３１ａに嵌挿され、係止爪部３８ａ，３８ｂが爪受け部２８ａ，２８ｂに係止される。同様に、制御基板ケース１０の左側面では、台座２２ａに貫挿されたかしめネジ９０ａがネジ受け部３２ａに嵌挿され、係止爪部３８ａ，３８ｂが爪受け部２８ａ，２８ｂに係止される。また、制御基板ケース１０の下側面では、係止爪部３４が爪受け部２４に係止される。一方、制御基板ケース１０の上側面では、Ｔ字型に突起した嵌挿凸部３３ａ，３３ｂが、コの字型に凹陥した嵌挿凹部２３ａ，２３ｂに嵌合される。【選択図】  図３
2006034608.tif 000002
【特許請求の範囲】
【請求項１】
遊技機の制御をなす制御素子等を搭載の制御基板を格納するカバー部材とベース部材とで構成され、前記カバー部材と前記ベース部材とが各々対向する開口面の縁部に沿って組み合わされて、取り付けると抜くことが不可能なタイプの固定部材で、前記カバー部材の対向する２つの側面と、前記ベース部材の対向する２つの側面とが各々固定される遊技機の制御基板ケースであって、
前記カバー部材及び前記ベース部材の一方における、前記対向する２つの側面とは異なる側面の少なくとも１つから突出する支持部材と、前記支持部材により支持された封止部材とから構成される嵌挿凸部と、
前記カバー部材及び前記ベース部材の他方における、前記嵌挿凸部が設けられた側面と組み合わされる側面に、前記支持部材の断面形状と略均等に凹陥するように形成された嵌挿凹部とを備え、
前記カバー部材と前記ベース部材は、前記嵌挿凹部が前記嵌挿凸部に嵌挿されて係合されることを特徴とする遊技機の制御基板ケース。
【請求項２】
前記嵌挿凸部においては、前記支持部材と前記封止部材とで係止部が形成され、
前記嵌挿凹部における前記係止部に挿入される部位には、前記支持部材の高さと略均等となるように厚みが小さくなった段差部が形成され、
前記嵌挿凹部が形成された側面の厚みは、前記嵌挿凸部が形成された側面の表面から前記封止部材の上端面までの高さと略均等であることを特徴とする請求項１に記載の遊技機の制御基板ケース。
【請求項３】
前記嵌挿凹部が形成された側面と、前記嵌挿凸部が形成された側面とは平行面をなし、かつ並列に密着して前記制御基板ケースの側面を形成するものであり、
前記制御基板ケースの側面の表面では、前記嵌挿凹部が形成された側面の表面と、前記封止部材の上端面とが略同一の平面を形成することを特徴する請求項２に記載の遊技機の制御基板ケース。
【請求項４】
前記嵌挿凸部は、前記支持部材の端部の両側面から突出するように前記封止部材が設けられて、Ｔ字型形状の部材を形成し、
前記嵌挿凹部は、コの字型形状に凹陥するように形成されることを特徴とする請求項１乃至３のいずれかに記載の遊技機の制御基板ケース。
【発明の詳細な説明】
【技術分野】
【０００１】
本発明は、ＣＰＵやＲＯＭ等の制御素子を備えた制御基板を収容するための制御基板ケースに関し、詳細には、遊技機用の制御基板を収容する遊技機の制御基板ケースに関する。
【背景技術】
【０００２】
従来より、パチンコ機やスロットマシン等の遊技機では、遊技機の動作を制御するためのＣＰＵやＲＯＭ等の制御素子を備えた制御基板が、合成樹脂製の制御基板ケースの内部に収容されている。これは、制御基板ケースによって制御基板を保護するとともに、ＲＯＭを交換して遊技内容を恣意的に変更しようとする不正行為を防ぐためである。そして、この制御基板ケースについて、不正なＲＯＭ交換を目的としたカバーのこじ開けをより確実に防止するために、さまざまな公知技術が知られている。
【０００３】
例えば、ベース部材とカバー部材とで箱形の制御基板ケースを形成する場合に、カバー部材の側壁から先端を屈曲した係止片を延設させるとともに、ベース部材の側壁には同屈曲部分が貫通して係止可能なスリットを形成し、ベース部材とカバー部材とを合体させるときに係止片の先端が外側からスリットを通過して係止することにより、こじ開けようとしても係止構造が引き離し方向へのこじ開けに抗するように作用するものが知られている（例えば、特許文献１を参照。）。
【０００４】
また、ボックスカバーがボックスベースの開放部分に覆設されて形成される制御基板ケースにおいて、ボックスベースの嵌挿凸部がボックスカバーの嵌挿凹部に嵌挿されるようにして、ボックスベース及びボックスカバーの合わせ目に薄板状の工具等を差し込み、基板ボックスをこじ開けようとしても、薄板状の工具等の先端部分が嵌挿凸部に突き当たり、その差し込みを防止することができるものが知られている（例えば、特許文献２を参照。）。
【０００５】
また、制御基板ケースの本体に、ヒンジ機構により枢結された一側縁を構成する側板部に係合孔を設ける一方、蓋体の裏面に本体の係合孔に嵌挿される係止片を設けて、蓋体が閉止されると本体の側板部の係合孔に蓋体の係止片が嵌挿されることで、蓋体が上動不能に位置規制されて変形させることができないものが知られている（例えば、特許文献３を参照。）。
【特許文献１】特開平１０−６５３４９号公報
【特許文献２】特開２００１−２０４９４０号公報
【特許文献３】特開２００１−３４７０３３号公報
【発明の開示】
【発明が解決しようとする課題】
【０００６】
しかしながら、従来の遊技機の制御基板ケースのなかには、カバーの合わせ目からのこじ開けへの対策が不十分であるために、不正なＲＯＭ交換を有効に防止できないものがあった。また、上記の特許文献１〜３に記載の発明に係る制御基板ケースは、不正なＲＯＭ交換を目的としたこじ開けを防止するための構成を有するものの、かかる構成が複雑なものであるため、従来のものと比して製造が困難となり、また製造コストの負担を増大させる問題があった。
【０００７】
本発明は、上述の問題点を解決するためになされたものであり、より簡易な構成で、不正なＲＯＭ交換を目的としたこじ開けを有効に防止することができる遊技機の制御基板ケースを提供することを目的とする。
【課題を解決するための手段】
【０００８】
上記課題を解決するため、請求項１に係る発明の遊技機の制御基板ケースは、遊技機の制御をなす制御素子等を搭載の制御基板を格納するカバー部材とベース部材とで構成され、前記カバー部材と前記ベース部材とが各々対向する開口面の縁部に沿って組み合わされて、取り付けると抜くことが不可能なタイプの固定部材で、前記カバー部材の対向する２つの側面と、前記ベース部材の対向する２つの側面とが各々固定される遊技機の制御基板ケースであって、前記カバー部材及び前記ベース部材の一方における、前記対向する２つの側面とは異なる側面の少なくとも１つから突出する支持部材と、前記支持部材により支持された封止部材とから構成される嵌挿凸部と、前記カバー部材及び前記ベース部材の他方における、前記嵌挿凸部が設けられた側面と組み合わされる側面に、前記支持部材の断面形状と略均等に凹陥するように形成された嵌挿凹部とを備え、前記カバー部材と前記ベース部材は、前記嵌挿凹部が前記嵌挿凸部に嵌挿されて係合されることを特徴とする。
【０００９】
また、請求項２に係る発明の遊技機の制御基板ケースでは、請求項１に記載の発明の構成に加えて、前記嵌挿凸部においては、前記支持部材と前記封止部材とで係止部が形成され、前記嵌挿凹部における前記係止部に挿入される部位には、前記支持部材の高さと略均等となるように厚みが小さくなった段差部が形成され、前記嵌挿凹部が形成された側面の厚みは、前記嵌挿凸部が形成された側面の表面から前記封止部材の上端面までの高さと略均等であることを特徴とする。
【００１０】
また、請求項３に係る発明の遊技機の制御基板ケースでは、請求項２に記載の発明の構成に加えて、前記嵌挿凹部が形成された側面と、前記嵌挿凸部が形成された側面とは平行面をなし、かつ並列に密着して前記制御基板ケースの側面を形成するものであり、前記制御基板ケースの側面の表面では、前記嵌挿凹部が形成された側面の表面と、前記封止部材の上端面とが略同一の平面を形成することを特徴する。
【００１１】
また、請求項４に係る発明の遊技機の制御基板ケースでは、請求項１乃至３のいずれかに記載の発明の構成に加えて、前記嵌挿凸部は、前記支持部材の端部の両側面から突出するように前記封止部材が設けられて、Ｔ字型形状の部材を形成し、前記嵌挿凹部は、コの字型形状に凹陥するように形成されることを特徴とする。
【発明の効果】
【００１２】
請求項１に係る発明の遊技機の制御基板ケースでは、カバー部材とベース部材とを取り付けると抜くことが不可能なタイプの固定部材によって固定する遊技機の制御基板ケースであって、カバー部材及びベース部材の一方に設けられた嵌挿凸部に、他方に設けられた嵌挿凹部が嵌挿されて係合される。よって、制御基板ケースにおいて固定部材によって固定されていない側面が、簡易な構成によりカバー部材及びベース部材が確実に係合されるようにして、不正なＲＯＭ交換を目的とした制御基板ケースのこじ開けを有効に防止することができる。
【００１３】
また、請求項２に係る発明の遊技機の制御基板ケースでは、請求項１に係る発明の効果に加えて、嵌挿凸部には係止部が形成される一方、嵌挿凹部には段差部が形成されて、嵌挿凹部が形成された側面の厚みは、嵌挿凸部が形成された側面の表面から封止部材の上端面までの高さと略均等である。よって、嵌挿凸部と嵌挿凹部とが係合されても不要な突出部位などが発生しないので、制御基板ケースの合わせ目からこじ開けるような不正行為を確実に防止することができる。
【００１４】
また、請求項３に係る発明の遊技機の制御基板ケースでは、請求項２に係る発明の効果に加えて、嵌挿凹部が形成された側面と嵌挿凸部が形成された側面とが制御基板ケースの側面を形成し、嵌挿凹部が形成された側面の表面と封止部材の上端面が略同一平面を形成する。よって、嵌挿凸部と嵌挿凹部とが係合されても、その合わせ目の隙間を小さくすることができるので、制御基板ケースの合わせ目からこじ開けるような不正行為を確実に防止することができる。
【００１５】
また、請求項４に係る発明の遊技機の制御基板ケースでは、請求項１乃至３のいずれかに係る発明の効果に加えて、嵌挿凸部はＴ字型形状の部材であり、嵌挿凹部はコの字型形状に凹陥する。よって、嵌挿凸部及び嵌挿凹部を簡易な構成で形成することができ、本発明を容易に実現することができる。
【発明を実施するための最良の形態】
【００１６】
以下、本発明に係る遊技機の制御基板ケースの一実施の形態である、パチンコ機１の内部に取り付けられる制御基板ケース１０について、図面を参照して説明する。まず、制御基板ケース１０が設けられたパチンコ機１の構成について説明する。図１は、パチンコ機１の背面図である。図２は、パチンコ機１の背面における部分拡大図である。
【００１７】
図１に示すように、パチンコ機１は、パチンコ機１本体を支持する正面視略長方形状の外枠２を備えており、この外枠２により遊技場の遊技機設置島（図示外）に設置される。そして、パチンコ機１の背面の右下部には、払出制御基板（図示外）を収納した払出制御基板ボックス５が設けられている。そして、払出制御基板ボックス５の上には、遊技機設置島に設置されたパチンコ機１の隣に設置され、現金やプリペイドカードを投入して、パチンコ機１で使用する遊技球を交換するためのカードユニット（図示外）と接続するためのカードユニット接続装置６が設けられている。
【００１８】
また、パチンコ機１の前面の上約半分には各種入賞口や役物、液晶画面を備えた遊技盤（図示外）が備えられている。そして、この遊技盤の背面には液晶画面（図示外）の制御を行う図柄表示基板（図示外）や各種ランプや電動役物の制御を行う電飾基板（図示外）が設けられている。これらの図柄表示基板や電飾基板、遊技盤の背面、各種配線は、パチンコ機１の背面の略中央部に設けられたセンターカバー４により覆われて保護されている。また、カードユニット接続装置６の上部には、遊技機の前面に設けられている下皿（図示外）に遊技球を払い出す（排出する）ための払出装置７が設けられている。そして、パチンコ機１の背面上部、センターカバー４の上部には、遊技球タンク３が設けられており、遊技機設置島から供給された遊技球を貯留し、その遊技球を払出装置７へ供給する。
【００１９】
図２に示すように、センターカバー４の内部には、ＣＰＵやＲＯＭ等の制御素子を備えてパチンコ機１の主制御を司る制御基板（図示外）を収納した透明な樹脂製の制御基板ケース１０が収容されている。なお、センターカバー４は透明な樹脂で形成されているため、その外部からセンターカバー４の内部を視認することが可能である。よって、設計者等がセンターカバー４の外部から、その内部に格納された制御基板ケース１０を確認することができるようになっており、図２では理解の容易のため、制御基板ケース１０を点線で表示している。
【００２０】
次に、制御基板ケース１０の構成について説明する。図３は、制御基板ケース１０の分解斜視図である。
【００２１】
図３に示すように、制御基板ケース１０は、カバー部材２０がかしめネジ８０，９０によりベース部材３０に固定されて、中空の略箱状体に構成される。なお、カバー部材２０とベース部材３０との間に挟みこむように、ＣＰＵやＲＯＭ等の制御素子を備えた制御基板が制御基板ケース１０の内部に収容されるが、理解を容易とするために、制御基板は図示していない。
【００２２】
まず、カバー部材２０について説明する。カバー部材２０は、一面が開口された箱状体であり、その開口面と対向する面が天板４０である。しかし、開口面から天板４０までの高さは、天板４０の縦横方向の長さと比して小さいため、カバー部材２０は全体として一面が開口された板状部材の外観をなす。そして、カバー部材２０の開口面とベース部材３０の開口面とが平行面をなすように対向させ、各開口面の縁部が合致するように相互に組み合わされて、制御基板ケース１０が形成されることになる。
【００２３】
天板４０の縁部から開口面側に向けて４つの側面が設けられ、各側面にはカバー部材２０をベース部材３０に固定するための構成を有する。天板４０の右縁部側（図３における右方向）に設けられた右側面４１には、円筒状の貫通孔が穿設された台座２１ａ，２１ｂ，２１ｃ，２１ｄの４つの台座が設けられている。後述のように、台座２１ａ〜２１ｄは、各々ベース部材３０のネジ受け部３１ａ〜３１ｄに対応して、かしめネジ８０ａ〜８０ｄを各々貫挿可能である。また、右側面４１には、ベース部材３０に設けられた係止爪部３８ａ，３８ｂが各々貫挿可能な貫通孔が穿設され、係止爪部３８ａ，３８ｂの先端に設けられる爪片が各々係止される係止部位を有する爪受け部２８ａ，２８ｂが設けられている。本実施の形態では、台座２１ａの下側に係止爪部３８ａが係止される爪受け部２８ａが、台座２１ｄの上側に係止爪部３８ｂが係止される爪受け部２８ｂが、それぞれ設けられている。
【００２４】
同様に、天板４０の左縁部側（図３における左方向）に設けられた左側面４２にも、円筒状の貫通孔が穿設された台座２２ａ，２２ｂ，２２ｃ，２２ｄの４つの台座が設けられている。後述のように、台座２２ａ〜２２ｄは、各々ベース部材３０のネジ受け部３２ａ〜３２ｄに対応して、かしめネジ９０ａ〜９０ｄを各々貫挿可能である。また、左側面４２にも、ベース部材３０に設けられた係止爪部３９ａ，３９ｂが貫挿可能な貫通孔が穿設され、係止爪部３９ａ，３９ｂの先端に設けられる爪片が各々係止される係止部位を有する爪受け部２９ａ，２９ｂが設けられている。本実施の形態では、台座２２ａの上側に係止爪部３９ａが係止される爪受け部２９ａが、台座２２ｄの下側に係止爪部３９ｂが係止される爪受け部２９ｂが、それぞれ設けられている。
【００２５】
一方、天板４０の下縁部側（図３における下方向）に設けられた下側面４３には、開口面と天板４０の略中間に位置し、開口面及び天板４０と平行をなす段差面２５が設けられている。この段差面２５により、カバー部材２０の下縁部では階段状に段差が形成される。そして、この段差面２５の下端部には、若干隆起した爪受け部２４が設けられており、ベース部材３０の下端部に設けられた係止爪部３４の先端の爪片が、この爪受け部２４に係止される。
【００２６】
他方、天板４０の上縁部側（図３における上方向）に設けられた上側面４４には、開口面側からコの字に凹陥された嵌挿凹部２３ａ，２３ｂが形成されている。本実施の形態では、上側面４４の横方向（図３の左右方向）に対して略均等に２つの嵌挿凹部２３ａ，２３ｂが設けられており、それぞれベース部材３０に設けられた嵌挿凸部３３ａ，３３ｂが係合されるが、詳細は後述する。
【００２７】
次に、ベース部材３０について説明する。ベース部材３０は、一面が開口された箱状体であり、その開口面と対向する面が底板５０である。しかし、開口面から底板５０までの高さは、底板５０の縦横方向の長さと比して小さいため、ベース部材３０は全体として一面が開口された板状部材の外観をなす。なお、カバー部材２０とベース部材３０とがそれぞれ対向する開口面は、略同一の形状及び大きさをなす。
【００２８】
底板５０の縁部から開口面側に向けて４つの側面が設けられ、各側面にはカバー部材２０をベース部材３０に固定するための構成を有する。底板５０の右縁部側（図３における右方向）に設けられた右側面５１には、中空状のネジ孔が形成されたネジ受け部３１ａ，３１ｂ，３１ｃ，３１ｄの４つのネジ受け部が設けられている。後述のように、ネジ受け部３１ａ〜３１ｄは、各々カバー部材２０の台座２１ａ〜２１ｄに対応して、かしめネジ８０ａ〜８０ｄを各々嵌挿可能である。また、右側面５１には、開口面（カバー部材２０）の方向に突出して、先端部付近が隆起して爪部が形成された矢印形状をなし、カバー部材２０の爪受け部２８ａ，２８ｂに各々係合される係止爪部３８ａ，３８ｂが設けられている。本実施の形態では、ネジ受け部３１ａの下側に爪受け部２８ａに係止される係止爪部３８ａが、ネジ受け部３１ｄの上側に爪受け部２８ｂに係止される係止爪部３８ｂが、それぞれ設けられている。
【００２９】
同様に、底板５０の左縁部側（図３における左方向）に設けられた左側面５２には、中空状のネジ孔が形成されたネジ受け部３２ａ，３２ｂ，３２ｃ，３２ｄの４つのネジ受け部が設けられている。後述のように、ネジ受け部３２ａ〜３２ｄは、各々カバー部材２０の台座２２ａ〜２２ｄに対応して、かしめネジ９０ａ〜９０ｄを各々嵌挿可能である。また、左側面５２にも、開口面（カバー部材２０）の方向に突出して、先端部付近が隆起して爪部が形成された矢印形状をなし、カバー部材２０の爪受け部２９ａ，２９ｂに各々係合される係止爪部３９ａ，３９ｂが設けられている。本実施の形態では、ネジ受け部３２ａの上側に爪受け部２９ａに係止される係止爪部３９ａが、ネジ受け部３２ｄの下側に爪受け部２９ｂに係止される係止爪部３９ｂが、それぞれ設けられている。
【００３０】
一方、底板５０の下縁部側（図３における下方向）に設けられた下側面５３には、開口面（カバー部材２０）の方向に突出して、先端部付近が隆起して爪部が形成された矢印形状をなし、カバー部材２０の爪受け部２４に係止される係止爪部３４が設けられている。
【００３１】
他方、底板５０の上縁部側（図３における上方向）に設けられた上側面５４には、底板５０から上方向に突出してＴ字型をなす嵌挿凸部３３ａ，３３ｂが形成されている。本実施の形態では、上側面５４の横方向（図３の左右方向）に対して略均等に２つの嵌挿凸部３３ａ，３３ｂが設けられており、それぞれカバー部材２０に設けられた嵌挿凹部２３ａ，２３ｂに係合されるが、詳細は後述する。
【００３２】
次に、かしめネジ８０ａ〜８０ｄ（かしめネジ９０ａ〜９０ｄ）について説明する。かしめネジ８０ａ〜８０ｄ（かしめネジ９０ａ〜９０ｄ）は、緊締方向にのみ螺回操作可能な頭部を有するワンウェイタイプのネジであり、胴部の先端には径が大きくなった大口径部を有している。そして、かしめネジ８０ａ〜８０ｄ（かしめネジ９０ａ〜９０ｄ）が、台座２１ａ〜２１ｄ（台座２２ａ〜２２ｄ）の貫通孔に貫挿され、かつネジ受け部３１ａ〜３１ｄ（ネジ受け部３２ａ〜３２ｄ）のネジ孔に貫嵌され、その大口径部がネジ孔において係止されることで、カバー部材２０をベース部材３０に密着固定するものであるが、詳細は後述する。
【００３３】
以上のような構成において、カバー部材２０の開口面とベース部材３０の開口面とは同一形状をなし、これらの開口面を対向させつつ、その縁部を合致させるように両者を密着させることで、カバー部材２０とベース部材３０とが接触する四方縁部において両者が固定されて制御基板ケース１０が構成される。
【００３４】
次に、制御基板ケース１０における上記固定部位を個別に説明する。図４は、制御基板ケース１０の正面図である。図５は、右かしめ部１１ａ〜１１ｄの斜視断面図である。図６は、右かしめ部１１ａの部分拡大図である。図７は、係合部１４の部分断面図である。
【００３５】
図４に示すように、制御基板ケース１０の右側面６１では、台座２１ａ〜２１ｄとネジ受け部３１ａ〜３１ｄとが各々係合されて、かしめネジ８０ａ〜８０ｄが嵌着される右かしめ部１１ａ〜１１ｄが形成される。同様に、制御基板ケース１０の左側面６２では、台座２２ａ〜２２ｄとネジ受け部３２ａ〜３２ｄとが各々係合されて、かしめネジ９０ａ〜９０ｄが嵌着される左かしめ部１２ａ〜１２ｄが形成される。なお、右かしめ部１１ａ〜１１ｄの４箇所全てを用いる必要はなく、うちの１箇所にかしめネジ８０ａ〜８０ｄの１つを嵌着すればよく、同様に、左かしめ部１２ａ〜１２ｄの４箇所全てを用いる必要はなく、うちの１箇所にかしめネジ９０ａ〜９０ｄの１つを嵌着すればよい。以下では、番号「１」が付された右かしめ部１１ａ及び左かしめ部１２ａを用いて固定する場合を例示する。
【００３６】
図５及び図６に示すように、右かしめ部１１ａにおいて、台座２１ａはかしめネジ８０ａが貫挿される円柱状中空を有する筒状体２１０と、筒状体２１０を支持してカバー部材２０に連結する連結部材２１１，２１２と、筒状体２１０の内部に設けられてかしめネジ８０ａの径の大きさに応じて伸縮してかしめネジ８０ａを固定する係止羽根２１３，２１４を備えている。また、筒状体２１０はネジ受け部３１のネジ孔に連通される。なお、右かしめ部１１ｂ〜１１ｄの構成も右かしめ部１１ａと同様であり、４つの筒状体が並列に設けられるとともに、台座２１ａ〜２１ｄはカバー部材２０に一体に設けられている。また、左かしめ部１２ａ〜１２ｄの構成も右かしめ部１１ａ〜１１ｄと同様である。
【００３７】
そして、制御基板ケース１０を形成する場合、かしめネジ８０ａを筒状体２１０に挿入しその頭部を回動押圧して、かしめネジ８０ａの頭部が係止羽根２１３，２１４に当接するまで押し込む。すると、かしめネジ８０ａの胴部がその側面から係止羽根２１３，２１４により押圧されて固定され、胴部の先端に設けられた大口径部がネジ受け部３１のネジ孔に嵌挿される。そして、かしめネジ８０ａはワンウェイタイプのネジであるから、かしめネジ８０ａは引き抜くことが不可能である（図５参照）。同様に、左かしめ部１２ａにもかしめネジ９０ａが嵌め込まれる。
【００３８】
一方、内部の制御基板の検査や修理などの理由で、制御基板ケース１０を開放する必要となった場合、ニッパーやカッター等で連結部材２１１，２１２を切断すれば筒状体２１０を取り外すことができるため、右かしめ部１１ａ及びかしめネジ８０ａを破棄することができる（図６参照）。同様に左かしめ部１２ａ及びかしめネジ９０ａも破棄すれば、制御基板ケース１０を開放することができる。そして、再度制御基板ケース１０を閉じる場合には、他の右かしめ部１１ｂ〜１１ｄ及び左かしめ部１２ｂ〜１２ｄに、かしめネジ８０ｂ〜８０ｄ及びかしめネジ９０ｂ〜９０ｄを嵌着すればよい。
【００３９】
また、図４及び図５に示すように、制御基板ケース１０の右側面６１では、右かしめ部１１ａの下側において、爪受け部２８ａに形成された貫通孔に係止爪部３８ａが挿入され、係止爪部３８ａの先端に形成された爪部が爪受け部２８ａに係止されて、係合部１８ａが形成される。同様に右かしめ部１１ｄの上側において、係止爪部３８ｂが爪受け部２８ｂに係止されて、係合部１８ｂが形成される。なお、制御基板ケース１０の左側面６２でも、係止爪部３９ａ，３９ｂが爪受け部２９ａ，２９ｂに各々係止されて、係合部１９ａ，１９ｂが形成される。
【００４０】
次に、図４及び図７に示すように、制御基板ケース１０の下側面６３では、カバー部材２０の下端部において若干隆起するように形成された爪受け部２４に、ベース部材３０の下端部に設けられた係止爪部３４の先端の爪片が係止されて、係合部１４が形成される。
【００４１】
以上のように、制御基板ケース１０は、右側面６１が係合部１８ａ，１８ｂと右かしめ部１１ａ〜１１ｄにより固定され、左側面６２が係合部１９ａ，１９ｂと左かしめ部１２ａ〜１２ｄにより固定される。このように、対向する二側面で固定された制御基板ケース１０は、通常は開放できない構成となっている。さらに、下側面６３も係合部１４により固定されるため、制御基板ケース１０はより強固に固定される。しかし、上側面６４からこじ開けようとする不正行為を簡易な構成で確実に防止するために、嵌挿凹部２３ａ，２３ｂと嵌挿凸部３３ａ，３３ｂとが各々係合された嵌挿部１３ａ，１３ｂを設けている。
【００４２】
次に、嵌挿部１３ａ，１３ｂについて説明する。なお、以下では嵌挿部１３ａについて説明するが、嵌挿部１３ｂも同じである。図８は、カバー部材２０及びベース部材３０の拡大平面図である。図９は、カバー部材２０及びベース部材３０のＡ−Ａ´線（図８）における矢視方向断面図である。図１０は、嵌挿部１３ａのＡ−Ａ´線（図８）における矢視方向断面図である。図１１は、制御基板ケース１０の拡大背面図である。
【００４３】
図８及び図９に示すように、カバー部材２０に設けられた嵌挿凹部２３ａには、開口面側からコの字形状に凹陥された凹陥部２３１が形成され、カバー部材２０の上側面４４の長手方向（図８の上下方向）における凹陥部２３１の両側は、カバー部材２０の上側面４４の厚みよりも薄く段差状に形成された係合板２３２，２３３が設けられている。一方、ベース部材３０に設けられた嵌挿凸部３３ａは、カバー部材２０の上側面４４（ベース部材３０の上側面５４）と平行をなす板状の部材である封止板３３２と、ベース部材３０の上側面５４から突出して封止板３３２を支持するコの字型の支持部材３３１とから構成されており、正面視、嵌挿凸部３３ａは封止板３３２が支持部材３３１の上端部の両側面から突出したようなＴ字型形状の外観をなす。
【００４４】
また、平面視、封止板３３２の形状及び大きさは、嵌挿凹部２３ａ（凹陥部２３１と係合板２３２，２３３とを含めた範囲）の形状及び大きさと略同一である。また、支持部材３３１により形成されるコの字型の断面形状は、平面視、凹陥部２３１に収容可能な形状及び大きさである。そして、ベース部材３０の上側面５４において、支持部材３３１と封止板３３２とで画される空間が係止部３３３，３３４である。係止部３３３は係合板２３２と同一の形状及び大きさをなし、係止部３３３に係合板２３２が嵌挿される。同様に、係止部３３４は係合板２３３と同一の形状及び大きさをなし、係止部３３４に係合板２３３が嵌挿される（図８参照）。
【００４５】
また、正面視（側面視）、係合板２３２，２３３の厚みは、ベース部材３０の上側面５４から封止板３３２までの高さ（支持部材３３１の高さ）と略同一である。そして、係合板２３２，２３３の厚みと封止板３３２の厚みとを足すと、カバー部材２０の上側面４４の厚みと略均等となる。言い換えれば、支持部材３３１の下端部（ベース部材３０の上側面５４）から封止板３３２の上端面までの高さと、カバー部材２０の上側面４４の厚みと略均等となる（図９参照）。
【００４６】
そして、カバー部材２０をベース部材３０に固定して制御基板ケース１０を形成する場合は、カバー部材２０の開口面とベース部材３０の開口面とが平行面をなすように対向させ、かつ、カバー部材２０の上側面４４とベース部材３０の上側面５４が平行面をなすようにして、両開口面の縁部を合致させるように組み合わせると、嵌挿凹部２３ａと嵌挿凸部３３ａとが係合される（図８及び図９参照）。
【００４７】
すると、図１０及び図１１に示すように、制御基板ケース１０では、嵌挿凹部２３ａ（嵌挿凹部２３ｂ）と嵌挿凸部３３ａ（嵌挿凸部３３ｂ）とが係合されると、カバー部材２０の上側面４４とベース部材３０の上側面５４と並列に密着して、制御基板ケース１０の上側面６４を形成する（図４参照）。また、嵌挿凹部２３ａ（嵌挿凹部２３ｂ）の係合板２３２，２３３が、嵌挿凸部３３ａ（嵌挿凸部３３ｂ）の係止部３３３，３３４に各々嵌挿されて、嵌挿部１３ａ（嵌挿部１３ｂ）が形成される。
【００４８】
なお、上記の構成による嵌挿部１３ａ，１３ｂでは、係合板２３２，２３３の端部が制御基板ケース１０の背面方向（図１０の右方向）に突出することはない。また、封止板３３２の上端面は、カバー部材２０の上側面４４と同一平面上に位置するため、封止板３３２が制御基板ケース１０の上側面６４から上方向（図１１の上方向）に突出することもない。すなわち、制御基板ケース１０は、嵌挿部１３ａ，１３ｂによりカバー部材２０とベース部材３０とが密接に係合される結果、不必要な突出部位が生じず、かつその合わせ目の隙間が小さい構成となっている。
【００４９】
以上、本実施の形態によるパチンコ機１の制御基板ケース１０によれば、右側面６１，と左側面６２との対向する二側面において、かしめ部１１ａ〜１１ｄ，かしめ部１２ａ〜１２ｄや係合部１８ａ，１８ｂ，１９ａ，１９ｂで固定され、さらに下側面６３は係合部１４により係合される。一方、上側面６４は嵌挿凹部２３ａ，２３ｂ及び嵌挿凸部３３ａ，３３ｂが係合された嵌挿部１３ａ，１３ｂにより固定される。すなわち、制御基板ケース１０においてかしめ部や係合部等の固定部材によって固定されていない上側面６４が、嵌挿凹部２３ａ，２３ｂ及び嵌挿凸部３３ａ，３３ｂという簡易な部材によりカバー部材２０とベース部材３０とが確実に係合される。よって、不正なＲＯＭ交換を目的として制御基板ケース１０の上側面６４をこじ開けようとする行為を有効に防止することができる。
【００５０】
また、嵌挿凸部３３ａ，３３ｂに係止部３３３，３３４が形成される一方、嵌挿凹部２３ａ，２３ｂには係止部３３３，３３４に各々挿入される係合板２３２，２３３を形成した。そして、カバー部材２０の上側面４４の厚みは、ベース部材３０の上側面５４から封止板３３２の上端面までの高さと略均等である。よって、嵌挿凹部２３ａ，２３ｂと嵌挿凸部３３ａ，３３ｂとが係合されても不要な突出部位などが発生しないので、制御基板ケース１０の合わせ目からこじ開けるような不正行為を確実に防止することができる。
【００５１】
また、カバー部材２０の上側面４４とベース部材３０の上側面５４とは平行面をなし、かつ並列に密着して制御基板ケース１０の上側面６４が形成される。そして、この上側面６４ではカバー部材２０の上側面４４と封止板３３２の上端面が、略同一の平面を形成する。よって、嵌挿凹部２３ａ，２３ｂと嵌挿凸部３３ａ，３３ｂとが係合されても、その合わせ目の隙間を小さくすることができるので、制御基板ケース１０の合わせ目からこじ開けるような不正行為を確実に防止することができる。
【００５２】
また、嵌挿凹部２３ａ，２３ｂはコの字型形状に凹陥するように形成されており、嵌挿凸部３３ａ，３３ｂはＴ字型形状の部材として形成されており、いずれも固定部材としては単純な構造である。よって、嵌挿凹部２３ａ，２３ｂ及び嵌挿凸部３３ａ，３３ｂを簡易な構成とすることができ、本発明に係る制御基板ケース１０を容易に実現することができる。
【００５３】
ところで、上記実施の形態において、カバー部材２０が本発明の「カバー部材」に相当し、ベース部材３０が本発明の「ベース部材」に相当し、かしめネジ８０ａ〜８０ｄ及びかしめネジ９０ａ〜９０ｄが本発明の「固定部材」に相当する。また、嵌挿凹部２３ａ，２３ｂが本発明の「嵌挿凹部」に相当し、係合板２３２，２３３が本発明の「段差部」に相当する。また、嵌挿凸部３３ａ，３３ｂが本発明の「嵌挿凸部」に相当し、支持部材３３１が本発明の「支持部材」に相当し、封止板３３２が本発明の「封止部材」に相当し、係止部３３３，３３４が本発明の「係止部」に相当する。また、カバー部材２０の上側面４４が、本発明の「嵌挿凹部が形成された側面」に相当する。ベース部材３０の上側面５４が、本発明の「嵌挿凸部が形成された側面」に相当する。
【００５４】
なお、本発明は、以上詳述した実施の形態に限定されるものではなく、各種の変形が可能なことはいうまでもない。
【００５５】
上記実施の形態では、制御基板ケース１０の上側面６４に嵌挿部１３ａ，１３ｂの２つの嵌挿部を設けているが、嵌挿部を１つだけ設けてもよいし３つ以上設けてもよい。また、嵌挿部１３ａ，１３ｂを構成する嵌挿凹部２３ａ，２３ｂ及び嵌挿凸部３３ａ，３３ｂは、一対となるのであればカバー部材２０及びベース部材３０のいずれに設けてもよい。
【００５６】
また、嵌挿部１３ａ，１３ｂは制御基板ケース１０の上側面６４に限定されることなく、他の側面部に設けてもよく、例えば、嵌挿部１３ａ，１３ｂを下側面６３に設けてもよい。また、嵌挿部１３ａ，１３ｂを上側面６４及び下側面６３の両面に設けてもよいし、この場合は係合部１４を設けない構成としてもよい。また、制御基板ケース１０が、上側面６４及び下側面６３にかしめ部１１ａ〜１１ｄ及びかしめ部１２ａ〜１２ｄが設けられて固定される構成の場合は、右側面６１及び左側面６２の少なくとも一方に嵌挿部１３ａ，１３ｂが設けられる構成としてもよい。
【００５７】
また、上記実施の形態では、制御基板ケース１０の対向する二面が、かしめネジ８０ａ〜８０ｄ及びかしめネジ９０ａ〜９０ｄによって固定されているが、取り付けると抜くことが不可能なタイプのものであれば、各種の固定部材を利用可能である。例えば、挿入すると抜くことが不可能なピン（矢尻タイプ，圧着タイプなど）や、所定トルク以上かかると頭部が切断される破断ネジなどを利用してもよい。
【００５８】
また、嵌挿凹部２３ａ，２３ｂ及び嵌挿凸部３３ａ，３３ｂは、制御基板ケース１０の実装や用途などに応じて、各種の態様をとることができる。例えば、カバー部材２０の係合板２３２，２３３を設けずに、カバー部材２０の上側面４４が直接に係止部３３３，３３４に嵌挿される構成としてもよく、この場合は係止部３３３，３３４が上側面４４の厚みと略同一の高さを有すればよい。また、支持部材３３１は直方体や円柱体などの部材として構成してもよいし、複数の支持部材３３１で封止板３３２を支持してもよい。そして、支持部材３３１の断面形状に合わせて、凹陥部２３１が半円状や三角形状などの任意の態様で凹陥してもよい。また、封止板３３２も楕円状や三角形状などの任意の態様で形成すればよい。そして、封止板３３２の形状に合わせて、嵌挿凹部２３ａ，２３ｂを任意の形状で形成すればよく、逆に封止板３３２の形状と嵌挿凹部２３ａ，２３ｂの形状とが一致しない構成としてもよい。
【００５９】
同様に、係合部１４，１８ａ，１８ｂ，１９ａ，１９ｂは、先端が矢印形状をなす係止部材を利用しているが、有効にカバー部材２０をベース部材３０に係合することができれば、各種のものを利用すればよい。例えば、ネジによって固定するタイプのものでもよいし、雄部が雌部に嵌合して固定するタイプのものでもよい。また、これら係合部１４，１８ａ，１８ｂ，１９ａ，１９ｂは、本発明に必須の構成ではないため、本構成を省略してもよい。
【産業上の利用可能性】
【００６０】
本発明の遊技機の制御基板ケースは、パチンコ機１に用いられる制御基板ケースに限られず、パチコン機、パチスロ機等の各種の遊技機に用いられる制御基板ケースに適用可能である。
【図面の簡単な説明】
【００６１】
【図１】パチンコ機１の背面図である。
【図２】パチンコ機１の背面における部分拡大図である。
【図３】制御基板ケース１０の分解斜視図である。
【図４】制御基板ケース１０の正面図である。
【図５】右かしめ部１１ａ〜１１ｄの斜視断面図である。
【図６】右かしめ部１１ａの部分拡大図である。
【図７】係合部１４の部分断面図である。
【図８】カバー部材２０及びベース部材３０の拡大平面図である。
【図９】カバー部材２０及びベース部材３０のＡ−Ａ´線（図８）における矢視方向断面図である。
【図１０】嵌挿部１３ａのＡ−Ａ´線（図８）における矢視方向断面図である。
【図１１】制御基板ケース１０の拡大背面図である。
【符号の説明】
【００６２】
１    パチンコ機
２    外枠
３    遊技球タンク
４    センターカバー
５    払出制御基板ボックス
６    カードユニット接続装置
７    払出装置
１０    制御基板ケース
２０    カバー部材
２１ａ，２１ｂ，２１ｃ，２１ｄ    台座
２２ａ，２２ｂ，２２ｃ，２２ｄ    台座
２３ａ，２３ｂ    嵌挿凹部
３０    ベース部材
３１ａ，３１ｂ，３１ｃ，３１ｄ    ネジ受け部
３２ａ，３２ｂ，３２ｃ，３２ｄ      ネジ受け部
３３ａ，３３ｂ    嵌挿凸部
８０ａ，８０ｂ，８０ｃ，８０ｄ    かしめネジ
９０ａ，９０ｂ，９０ｃ，９０ｄ    かしめネジ
【図１】
2006034608.tif 000003
【図２】
2006034608.tif 000004
【図３】
2006034608.tif 000005
【図４】
2006034608.tif 000006
【図５】
2006034608.tif 000007
【図６】
2006034608.tif 000008
【図７】
2006034608.tif 000009
【図８】
2006034608.tif 000010
【図９】
2006034608.tif 000011
【図１０】
2006034608.tif 000012
【図１１】
2006034608.tif 000013